(57)【要約】【課題】片手で操作可能なヒンジキャップの構造を簡素化し、簡単な構造の金型で、容易かつコスト低廉に製造できるようにする。また、吐出口の周囲から段差を無くし、清掃が容易に行えるようにし、衛生的な使用を可能とする。【解決手段】上面に吐出口１ａが設けられたキャップ本体１に、裏面に前記吐出口を塞ぐ封栓手段２ａが設けられたキャップカバー２が、回動開閉自在にヒンジ３を介して一体的に成形されてなる合成樹脂製のヒンジキャップにおいて、開蓋操作用の操作部４を、キャップカバーの回動支点となるヒンジの近傍と、このヒンジと反対側の対称な位置を連結支持部として、キャップカバーの開放側に、ほぼ半周にわたって半円弧状に突出するように設けた。【選択図】図２
0003125659.tif 000002
【実用新案登録請求の範囲】
【請求項１】
上面に吐出口が設けられたキャップ本体に、裏面に前記吐出口を塞ぐ封栓手段が設けられたキャップカバーが、回動開閉自在にヒンジを介して一体的に成形されてなる合成樹脂製のヒンジキャップにおいて、
キャップカバーの回動支点となるヒンジの近傍、およびこのヒンジと反対側の対称な位置を連結支持部として、開蓋時の手掛りとなる操作部が、キャップカバーの開放側の外方に、そのほぼ半周にわたって半円弧状に突出するように設けられていることを特徴とするキャップカバー。
【考案の詳細な説明】
【技術分野】
【０００１】
本考案は、キャップ本体に設けられた吐出口を開閉するキャップカバーが、ヒンジを介して回動開閉自在に該キャップ本体に一体的に設けられてなるヒンジキャップに関する。
【背景技術】
【０００２】
シャンプーや液状の化粧料などの容器に用いられるキャップとして、容器口に取り付けられるキャップ本体と、このキャップ本体の上部を覆蓋可能であって、キャップ本体に対してヒンジを介して接続されたキャップカバーとからなる所謂ヒンジキャップと称されるものが知られている。
【０００３】
ここにおいて、上記のヒンジには、薄肉部から屈曲可能な一般的なヒンジと、ばね性を有するスナップヒンジと称されるものの二種類がある。このスナップヒンジといわれるものは、キャップカバーが完全な状態に開閉していない場合に、その位置から自動的に完全に開くか、あるいは閉じる方向にばね力が作用するようにしたものである。従って、流通過程や保管時の不意の外的衝撃等により、キャップカバーが不用意に開き、内容液が漏れ出るということが効果的に防止される。よって、近年はこのスナップヒンジを用いたものが主流となっている。
【０００４】
したがって、閉蓋状態において、キャップカバーには、閉蓋方向にばね力が作用し、また、キャップカバーの裏面には、封栓用の突起が設けられ、この突起が閉蓋状態でキャップ本体の吐出口に嵌り込んでいるので、開蓋の際には、両者の力に抗してキャップカバーを回動させなくてはならず、片手での操作が行い難いという問題点があった。
【０００５】
そこで、この点を改善するために、従来は、吐出口が設けられたキャップ本体の上面にスライド溝を設け、このスライド溝に、所定形状のスライド板を摺動可能に取り付けることにより、スライド板の押し込みに伴ってキャップカバーがせり上げられると共に、ヒンジの内側が押し上げられるようになし、このことでキャップカバーがヒンジのばね力に抗して開放方向に回動されると共に、封栓手段と吐出口との嵌め合いが外されるようにしたものが開発されている。（例えば、特許文献１参照）。
【特許文献１】特開２００６−１０３７７７公報（第４−５頁、図１）
【考案の開示】
【考案が解決しようとする課題】
【０００６】
上述した従来のヒンジキャップは、スライド板の押し込みに伴うせり合いによってキャップカバーを押し上げると共に、その内端でヒンジの内側を押すようにしているので、片手で容易に開蓋することができるが、反面、その製造のためには、キャップ本体の上面にスライド溝を設けると共に、このスライド溝に楔の機能を有するスライド板を、がたつきなく、摺動可能、脱落不可に取り付けなくてはならず、成形用金型の構造が複雑になると共に、組み立ての手間も要するという問題点を有していた。
【０００７】
また、吐出口の周囲にスライド溝が設けられているので、この部分に内容液が垂れて付着すると清掃し難く、非衛生的になり勝ちであるという問題点も有していた。
【０００８】
本考案は、上記従来のヒンジキャップが有していた問題点を解決し、簡単な構造で操作性に優れたヒンジキャップをコスト低廉に提供するものである。
【課題を解決するための手段】
【０００９】
上記の問題点を解決するために、本考案では、上面に吐出口が設けられたキャップ本体に、裏面に前記吐出口を塞ぐ封栓手段が設けられたキャップカバーが、回動開閉自在にヒンジを介して一体的に成形されてなる合成樹脂製のヒンジキャップにおいて、キャップカバーの回動支点となるヒンジの近傍、およびこのヒンジと反対側の対称な位置を連結支持部として、開蓋時の手掛りとなる操作部が、キャップカバーの開放側の外方に、そのほぼ半周にわたって半円弧状に突出するように設けられたことを特徴とする。
【考案の効果】
【００１０】
上述したように本考案では、ヒンジキャップにおけるキャップカバーの回動支点となるヒンジの近傍と、このヒンジと反対側の対称な位置を支点とした操作部を、キャップカバーの外方下側に半円弧状に突出するように設けたので、開蓋時に操作部を押し上げる力がキャップカバーの開放先端側に集中的に作用する。よって、開蓋の際、キャップカバーが無理な力を受けて撓むおそれが無く、円滑に動作し、しかもこの操作部は、キャップカバーの開放側に、そのほぼ半周にわたる広い範囲に設けられているので、手探りでも容易にその開放方向がわかり、片手での操作も行い易い。
【００１１】
また、構造が簡単なため、金型製作費用が削減でき、能率的、かつコスト低廉に製造でき、ヒンジキャップを安価に提供できるという効果がある。
【００１２】
さらに、キャップ本体の上面にスライド溝などの段差がないので、清掃がし易く、長年にわたって衛生的に使用することが可能となる。
【考案を実施するための最良の形態】
【００１３】
以下、本考案を図示した実施の形態に基づき詳細に説明する。
【００１４】
図１は、本考案に係るヒンジキャップの閉蓋状態を示した斜視図、図２は、その開蓋状態の斜視図である。
【００１５】
図示したように本考案のヒンジキャップは、従来公知のものと同様に、キャップ本体１に、このキャップ本体１の上面を覆蓋可能なキャップカバー２が、ヒンジ３を介して連続するように、合成樹脂材で一体成形されたものであり、キャップ本体１の上面には、吐出口１ａが設けられ、キャップカバー２の裏面（図２において上側）には、閉蓋時にこの吐出口１ａを塞ぐ、封栓手段である封止突部２ａが設けられている。
【００１６】
なお、ここにおいて、上記ヒンジ３は、キャップカバー２が完全な状態に開閉していない場合に、その位置から自動的に完全に開くか、あるいは閉じる方向にばね力が作用するようにした所謂スナップヒンジと称されるものである。また、図示していないが、キャップ本体１の内周面には、ねじ条や溝などの係合手段が設けられており、シャンプーや液体化粧料などの容器（図示せず）の口部に取り付けられるようになっている。
【００１７】
ここにおいて、本考案のヒンジキャップでは、開蓋時の手掛りとなる操作部４が、キャップカバー２と一体成形されることにより、設けられている。この操作部４は、閉蓋時にキャップ本体１の上部外方に位置する半円弧状の下半部分４ａと、その両端と直角に上方に連続し、キャップカバー２を跨ぐ形状の上半部分４ｂとからなり、それぞれの中央部分が狭幅の支持部４ｃ，４ｄを介してキャップカバー２に連結されることにより、その他の箇所がキャップカバー２の表面から離れた状態で支持されるようになっている。
【００１８】
上記支持部４ｃ，４ｄは、キャップカバー２のヒンジ３が設けられた位置の延長線上において該キャップカバーに連結されている。つまり、操作部４の下半部分４ａに連続した支持部４ｃは、キャップカバー２のヒンジ３が設けられた箇所と反対側の対称な位置においてキャップカバー２の外周に連続しており、操作部４の上半部分４ｂに連続した支持部４ｄは、ヒンジ３のキャップカバー２側の基端近傍位置において、キャップカバー２の上面に連続している。
【００１９】
本考案のヒンジキャップは、上記の構成を有している。
【００２０】
次に、このヒンジキャップの操作法について述べると、まず、図１に示した閉蓋状態にあっては、キャップ本体１の上面に設けられた吐出口１ａに、キャップカバー２の裏面に設けられた封止突部２ａが嵌り込み、容器の転倒などの際に内容液が不用意に流出しないように封栓されている。
【００２１】
そして使用の際、開蓋するには、例えば、容器（図示せず）を握った側の手の親指などで操作部４のキャップ本体１外側に位置した箇所を押し上げれば良く、このことで、裏面の封止突部２ａが吐出口１ａに嵌り込んだキャップカバー２が、強制的に押し上げられ、封止突部２ａが吐出口１ａから抜け、同時にキャップカバー２が後方のヒンジ３を支点として回動し、図２に示すように使用可能な状態に開蓋されるものである。
【００２２】
なお、この開蓋操作の際、押し上げられる操作部４の下半部分４ａは、キャップカバー２の開放側に、ほぼ半周にわたって設けられているので、手探りでも容易にその開放方向が判別でき、操作も操作部４の下側の何れかの箇所を押し上げれば良く、行い易い。そして、その際、押し上げられる力は、キャップカバー２の開放先端側（図１において紙面の手前側）に設けられた支持部４ｃに作用するので、例え、操作部４の中央部分から外れた箇所を押し上げたとしても、円滑に開蓋方向に力が伝達され、しかもこの力が作用する箇所が回動支点であるヒンジ３から最も遠い位置であるので、大きなモーメント力が作用し、比較的、軽い力で、かつ、キャップカバー２を撓ませること無く、円滑にヒンジ３の付勢力に抗してこのキャップカバー２を開蓋方向に回動させることができ、このことで封止突部２ａによる封栓状態の解除も同時に円滑になされる。
【００２３】
なお、上記操作部４は、上述したようにその中央部分が、上下の二箇所でキャップカバー２に連続するように、このキャップカバー２と一体成形されているので、強度が高く、押し上げ操作の際に撓むということが効果的に防止されるようになっている。
【００２４】
以上のようにして、本考案のヒンジキャップでは、容易に開蓋がなされ、使用後は、キャップカバー２を覆蓋方向に回動させて、キャップ本体１の上側に押し付ければ良く、このことで裏面の封止突部２ａがキャップ本体１の吐出口１ａに嵌り込み、封栓がなされる。
【００２５】
以上のようにして本考案のヒンジキャップは、使用されるものである。
【００２６】
なお、図示した実施の形態では、ヒンジキャップとしてキャップカバー２の上面が平坦な形状のものを例示したが、本考案のヒンジキャップは、キャップカバーに開蓋操作用の操作部が一体成形されていれば良く、この構成が可能なものであれば、ヒンジキャップ自体の形状は、特に限定されるものではない。例えば、ヒンジキャップの上面が半球状のものであれば、このヒンジキャップを跨ぐ操作部の上半部分は、アーチ状に成形すれば良い。
【００２７】
また、図示した実施の形態では、封栓手段として吐出口１ａに先端が嵌り込む突起状の封止突部２ａを例示したが、この封栓手段は、内容液が漏れないように吐出口を塞げるものであれば、どのようなものであっても良く、例えば、吐出口周囲の突縁を内嵌する環状の突出部のようなものであっても良い。
【図面の簡単な説明】
【００２８】
【図１】本考案の実施形態によるヒンジキャップの閉蓋状態の斜視図である。
【図２】図１のヒンジキャップの開蓋状態を示した斜視図である。
【符号の説明】
【００２９】
１  キャップ本体
１ａ  吐出口
２  キャップカバー
２ａ  封止突部（封栓手段）
３  ヒンジ
４  操作部
４ａ  操作部の下半部分
４ｂ  操作部の上半部分
４ｃ，４ｄ  支持部
【図１】
0003125659.tif 000003
【図２】
0003125659.tif 000004